【事件の表示】
　特許第２９５５７５１号「記録ディスクドライブ装置」の特許に対する特許異議の申立てについて、次のとおり決定する。
【結　論】
　訂正を認める。
　特許第２９５５７５１号の特許を維持する。
【理　由】
１．手続の経緯
　本件特許第２９５５７５１号発明についての出願(以下、「本件出願」という。)は、昭和５７年１２月３日に出願した実願昭５７−１８４１６１号(以下、「原出願」という。)の一部を平成５年５月２７日に分割して新たな実用新案登録出願(実願平5-33246号、以下、「分割出願」という。)とし、さらに、この分割出願を平成９年７月１０日に特許出願に変更したものであって、平成１１年７月２３日にその発明について特許の設定登録がなされ、その後、本件特許について特許異議の申立てがなされ、さらに取消理由通知がなされ、その指定期間内である平成１２年１０月２３日に訂正請求がなされたものである。
　　
２．訂正の適否についての判断
　(1) 訂正の内容
　 特許権者が求めている訂正の内容は、次のとおりである。
　 ア. 訂正事項(i)
　　願書に添付した明細書(以下、「特許明細書」という。)の特許請求の範囲第１項(請求項１)において、「記録媒体に接触および離反可能な上記装置基盤に揺動自在に取り付けられたディスク押圧部材と、」(本件特許公報第1欄8〜10行)を「記録媒体に接触および離反可能
に
記録媒体を記録ヘッドに押圧する
パッド
パッド
パッド
パッド
パッド
　　「【請求項１】ケーシング内に記録媒体を回転自在に内蔵した記録カセットを収容し、この記録媒体を回転駆動して記録ヘッドで記録再生する記録ディスクドライブ装置において、
　(イ)上記記録媒体を回転せしめる駆動部材と上記記録ヘッドとを装備した装置基盤と、
　(ロ)上記記録ヘッドと対向した位置で記録媒体に接触および離反可能
に
記録媒体を記録ヘッドに押圧する
パッド
　(ハ)上記記録カセットを着脱収容可能なカセット収容部とこの収容部の両側部に設けた左右一対のカム係合部を有し、上記記録媒体が記録ヘッドに係合する駆動姿勢と該記録ヘッドから退避した着脱姿勢との間で上記記録カセットの挿入方向と直交する方向に昇降自在に支持されたカセットホルダと、
　(ニ)上記装置基盤に駆動位置と着脱位置との間で往復動自在に取り付けられ、上記カム係合部と係合して上記カセットホルダを駆動姿勢から着脱姿勢に移動せしめると共に着脱姿勢に保持する左右一対のカムを備えたホルダ昇降部材と、
　(ホ)上記ホルダ昇降部材を常時駆動位置側に付勢するチャージスプリングと、
　(へ)上記チャージスプリングに抗してホルダ昇降部材を駆動位置から着脱位置に移動せしめ、このチャージスプリングに蓄力すると共に上記カセットホルダを駆動姿勢から着脱姿勢にシフトするイジェクト操作部材と、
　(ト)上記ホルダ昇降部材を着脱位置で上記チャージスプリングの蓄力に抗して係止ロックし、この係止ロックをカセットホルダへの記録カセットの挿入に連動して解除する係止ロック部材
とを備え、前記装置基盤に摺動自在に取り付けた板状材の両側部に前記左右一対のカムを折曲状に形成して前記ホルダ昇降部材を構成し、このホルダ昇降部材の上記カム上に前記カセットホルダのカム係合部を係合支持し、このカセットホルダに前記ディスク押圧
パッド
パッド
パッド
　　【請求項２】前記カセットホルダのカセット収容部を板状材の両側部下面側に断面コ字状のカセットガイドを設けて構成すると共に、このカセット収容部が前記装置基盤と対面するようにこのカセットホルダを前記装置基盤上のホルダ昇降部材に支持し、このカセットホルダの上面天板部に前記ディスク押圧
パッド
　　【請求項３】前記カセットホルダの天板部を金属その他の磁性材で構成した特許請求の範囲第２項記載の記録ディスクドライブ装置。」
　 イ. 訂正事項(ii)
　　特許明細書の段落【0015】において、「このカセットホルダにディスク押圧部材をカセットホルダの」(同公報第5欄27〜28行)を「このカセットホルダに
記録媒体を記録ヘッドに押圧する
パッド
パッド
　 ウ. 訂正事項(iii)
　　特許明細書の段落【0022】において、「記録ッド(図示の磁気ヘッド６)と、ディスク押圧部材」(同公報第6欄23〜24行)を「記録
ヘ
記録ディスクをヘッドに押圧する
パッド
　 エ. 訂正事項(iv)
　　特許明細書の段落【0070】において、「ディスク押圧部材」(同公報第11欄45〜46行)を「ディスク押圧
パッド
　 オ. 訂正事項(v)
　　特許明細書の段落【0071】において、「ディスク押圧手段」(同公報第12欄1行)を「ディスク押圧
パッド
　　（上記訂正事項中の下線は、訂正部分を示す。）
　　
　(2) 訂正の目的の適否、新規事項の有無及び拡張・変更の存否
　 ア. 訂正事項(i)について
　　上記訂正事項(i)は、特許明細書の段落【0050】〜【0051】の記載、及び段落【0058】の「カセットホルダ３の降下に伴って……介して磁気ヘッド６を圧接する。」(特許公報第10欄19〜22行)という記載等を根拠にして、ディスク押圧部材に関する事項を限定するものであるから、特許請求の範囲の減縮を目的とするものである。
　 イ. 訂正事項(ii)〜(v)について
　　訂正事項(iii)における「記録ッド」を「記録ヘッド」とする訂正は、誤記の訂正を目的とするものであり、これ以外の訂正は、特許請求の範囲の減縮に伴って、この減縮された特許請求の範囲の記載と発明の詳細な説明の記載とを整合させるためのものであるから、明りょうでない記載の釈明を目的とするものである。
　　そして、上記訂正事項(i)〜(v)は、いずれも新規事項の追加に該当するものではなく、また実質上特許請求の範囲を拡張し、又は変更するものでもない。
　　
　(3) むすび
　 以上のとおり、上記訂正請求は、特許法第１２０条の４第２項、及び同条第３項において準用する第１２６条第２〜３項の規定に適合するものであるから、当該訂正を認める。
　　
３．特許異議の申立てについて
　(1) 異議申立ての理由の概要
　 特許異議申立人の主張する異議申立ての理由は、大要次のとおりである。
　 ア. 理　由 Ｉ
　　本件出願については、原出願の一部を分割して分割出願をしたとき、明細書に記載の「ヘッド押さえパッド」という用語を「ディスク押圧部材」という用語に変更し、また「カム面」という用語を「カム」という用語に変更したものであるから、原出願の公告明細書の記載事項の範囲内において、適法に分割されたものではない。
　　してみれば、本件出願の出願日は、そのそ及が認められず、分割出願をした日である平成５年５月２７日となるから、特許明細書に記載された発明は、原出願の出願公告公報である甲第１号証(実公昭６３−２３８０７号公報)に記載された発明であり、特許法第２９条第１項第３号の発明に該当し特許を受けることができないものである。
　 イ. 理　由 II
　　特許明細書に記載された発明は、甲第３号証〔実願昭５２−１３７４３５号(実開昭54-67608号)のマイクロフィルム〕、甲第４号証〔実願昭５０−４９４７６号(実開昭51-128510号)のマイクロフィルム〕、甲第５号証(特開昭５０−９９５１４号公報)、及び甲第６号証(特開昭５６−１１１１７３号公報)に記載された発明に基づいて当業者が容易に発明をすることができたものであるから、特許法第２９条第２項の規定により特許を受けることができないものである。
　　
　(2) 本件発明
　 本件特許発明(以下、「本件発明」という。)の要旨は、訂正明細書の特許請求の範囲第１項(請求項１)に記載されたとおりのものと認める。（上記２.(1)ア.の【請求項１】参照）
　　
　(3) 当審の判断
　 ア. 理 由Ｉについて
　　原出願の一部を分割出願したとき、明細書に記載の「ヘッド押さえパッド」を「ディスク押圧部材」に、また「カム面」を「カム」に変更しているが、「ディスク押圧部材」という用語については、上記２.に記載したとおり、訂正請求によって「記録媒体を記録ヘッドに押圧するディスク押圧パッド」又は「ディスク押圧パッド」に訂正されている。
　　また、「カム面」という用語については、所定の形状を有しカム従動部材が接触して動かされるカム部材の面を意味するものであって、異議申立人が主張するような「片面カム」のみを限定して意味するものではない。そして、原出願の公告明細書に記載された「ディスクドライブ装置」において、「カム」が用いられていることは自明の事項である。
　　してみれば、分割出願は、原出願の公告明細書の記載事項の範囲内において適法に分割されたものであり、本件出願の出願日は、そ及が認められて昭和５７年１２月３日となるから、異議申立ての理由Ｉは採用することができない。
　 イ. 理 由IIについて
　　(ア)甲第３〜６号証に記載された発明
　　 ａ. 甲第３号証
　　　甲第３号証には、次の発明が記載されている。
　　 「磁気ディスク〔記録媒体〕を回転自在に内蔵したディスクジャケット〔記録カセット〕を収容し、この磁気ディスクを回転駆動して磁気ヘッド〔記録ヘッド〕(2)で記録再生する磁気ディスク記録再生装置〔記録ディスクドライブ装置〕において、
　　　前記磁気ディスクを回転せしめる駆動部材と前記磁気ヘッド(2)とを装備した装置基盤と、
　　　前記磁気ヘッド(2)と対向した位置で磁気ディスクに接触および離反可能に前記装置基盤に揺動自在に取り付けられ磁気ディスクを磁気ヘッドに押圧するパッド〔ディスク押圧パッド〕(3)と、
　　　前記ディスクジャケットを着脱収容可能なディスクジャケット収容部〔カセット収容部〕を有し、前記磁気ディスクが磁気ヘッド(2)に係合する駆動姿勢と該磁気ヘッドから退避した着脱姿勢との間で支点(9)を中心に回動自在に支持されたディスク案内枠〔カセットホルダ〕(8)と、
　　　前記ディスク案内枠(8)を駆動姿勢から着脱姿勢に回動せしめると共に着脱姿勢に保持するリングプレート(7)とを備え、
　　　このディスク案内枠(8)の駆動姿勢で前記パッド(3)が磁気ディスクと接触し着脱姿勢で離反するように、ディスク案内枠の上面天板部に該パッドを連動せしめる磁気ディスク記録再生装置。」(なお、〔 〕内には本件発明の対応する用語を示した。）
　　 ｂ. 甲第４号証
　　　甲第４号証には、次の発明が記載されている。
　　　「テープを内蔵したカセット(36)を収容し、このテープを駆動してヘッド〔記録ヘッド〕で記録再生するカセットテープレコーダにおいて、
　　　前記テープを駆動せしめる駆動部材と上記ヘッドを備える作動板(3)とを装備した基台(1)と、
　　　前記カセット(36)を着脱収容可能なカセット収容部とこの収容部の一側部に設けた突片〔カム係合部〕(7)を有し、前記テープがヘッドに係合する駆動姿勢と該ヘッドから退避した着脱姿勢との間で回動自在に支持されたカセット保持ケース体〔カセットホルダ〕(6)と、
　　　前記基台(1)の一側方に立設された案内壁(2)に駆動位置と着脱位置との間で往復動自在に取り付けられ、前記突片(7)と係合して前記カセット保持ケース体(6)を駆動姿勢から着脱姿勢に回動せしめると共に着脱姿勢に保持する第２傾斜溝孔〔カム〕(10)を備えた摺動板(11)と、
　　　前記摺動板(11)を常時駆動位置側に付勢する第１スプリング〔チャージスプリング〕(22)と、
　　　前記第１スプリング(22)に抗して摺動板(11)を駆動位置から着脱位置に移動せしめ、この第１スプリングに蓄力すると共に前記カセット保持ケース体(6)を駆動姿勢から着脱姿勢に回動する作動用ハンドル杆〔イジェクト操作部材〕(21)と、
　　　前記摺動板(11)を着脱位置で前記第１スプリング(22)の蓄力に抗して係止ロックし、この係止ロックをカセット保持ケース体(6)へのカセット(36)の挿入に連動して解除する作動片〔係止ロック部材〕(16)とを備えるカセットテープレコーダ。」(なお、〔 〕内には本件発明の対応する用語を示した。）
　　 ｃ. 甲第５号証
　　　甲第５号証には、「カセットテープレコーダーのヘッドキャプスタンスライド機構」の発明について、次の事項が記載されている。
　　　(i)「カセットを装填枠に挿込むことによりキャプスタン、回転機構を有する上下盤を上昇させ、かつヘッドとピンチローラーを取付けた支持盤を摺動させてカセットに接近させる機構とから成るカセットテープレコーダーのヘッドキャプスタンスライド機構。」(特許請求の範囲)
　　　(ii) キャプスタン(10)、回転軸(11)及び回転機構(12)を有する上下盤(8)にピン(7)を設け、このピン(7)を固定枠(5)の垂直溝孔(6)とスライド枠(1)の傾斜溝孔(2)に挿通していること。
　　　(iii) ヘッド(15)とピンチローラー(16)を有する支持盤(17)からピン(18)を突出し、このピン(18)を上記スライド枠(1)の弧状溝孔(14)に挿通していること。
　　　(iv) 装填枠(22)にカセット(K)を挿入しないときは、上記スライド枠(1)に作用するスプリング(19)に抗してＬ形レバー(20)の駒(21)が前記スライド枠を係止しており、このとき上下盤(8)は下方位置で、また支持盤(17)は後退位置で静止していること。
　　　(v) 装填枠(22)にカセット(K)を挿入すると、Ｌ形レバー(20)によるスライド枠(1)の係止が外れ、スプリング(19)の作用によりスライド枠が移動する。これにより上下盤(8)が上昇すると共に支持盤(17)が前進して、それぞれがカセット(K)に近接すること。
　　 ｄ. 甲第６号証
　　　甲第６号証には、交換可能なディスクユニット(1)と、データを磁気的に記録又は再生することができる駆動ユニット(2)について、次の事項が記載されている。
　　　(i) 駆動ユニット(2)の正面壁にフラップ(4)が回動自在に取付けられ、このフラップの回動による開閉動作に連動して、スロット(155,156)を備えるすべり部材(130,131)が前後に移動されること。
　　　(ii) 前記すべり部材(130,131)のスロット(155,156)は、並進部材(140,141)に回転自在に取付けられたローラ(145,146)と協働し、前記すべり部材の前後の移動に応じて前記並進部材が上下に移動すること。
　　　(iii) ディスクユニット(1)が挿入される支持枠(113)は前記並進部材(140,141)に一体的に取付けられ、並進部材と共に上下に移動すること。
　　　(iv) フラップ(4)が開いた状態では、前記並進部材(140,141)と支持枠(113)が上昇位置にあり、前記支持枠内にディスクユニット(1)を挿入することができること。
　　　(v) 次に、フラップ(4)を開いた位置から閉じた位置に動かすことによって、すべり部材(130,131)が最後部位置に移動し、前記スロット(155,156)とローラ(145,146)の働きにより前記並進部材(140,141)と支持枠(113)が降下位置に移動し、前記ディスクユニット(1)の囲いが開くと共に、このディスクユニットに収容されている情報ディスク(6)がターンテーブル(21)上に装着されること。
　　(イ)対比・判断
　　 本件発明と甲第３〜６号証に記載されたそれぞれの発明とを対比すると、甲第３〜６号証に記載された発明は、本件発明を特定する事項の一部である次の構成を具備しておらず、また示唆もしていない。
　　 「装置基盤に摺動自在に取り付けた板状材の両側部に前記左右一対のカムを折曲状に形成してホルダ昇降部材を構成し、このホルダ昇降部材のカム上にカセットホルダのカム係合部を係合支持し、このカセットホルダにディスク押圧パッドをカセットホルダの駆動姿勢で該ディスク押圧パッドが記録媒体と接触し着脱姿勢で離反するように連動せしめて前記装置基盤、ホルダ昇降部材、カセットホルダ、ディスク押圧パッドを順次この順に配置した点。」
　　そして、本件発明は、上記構成を具備することにより、「カセットホルダの昇降動作が円滑かつ確実であり、装置の薄型化および小型化が可能である。」という明細書に記載の作用・効果を奏するものであるから、上記甲第３〜６号証に記載されたそれぞれの発明に基づいて、当業者が容易に発明をすることができたものであるとは云えない。
　　
　(4) むすび
　 以上のとおりであるから、特許異議申立ての理由及び証拠によっては、本件発明についての特許を取り消すことはできない。
　　
　なお、当審において通知した取消理由は、大要異議申立ての理由Ｉと同じであるから、この取消理由は、上記３.(3)ア.に記載したと同じ理由により解消したものである。
　　
　また、他に本件発明についての特許を取り消すべき理由を発見しない。
　よって、結論のとおり決定する。
【異議決定日】
平成１２年１２月２０日（２０００．１２．２０）
【訂正の要旨】
　訂正の要旨
１．特許請求の範囲第１項（請求項１）において、「記録媒体に接触および離反可能な上記装置基盤に揺動自在に取り付けられたディスク押圧部材と、」（本件特許公報第１欄８〜１０行）とあるを、
　特許請求の範囲の減縮を目的として、「記録媒体に接触および離反可能に上記装置基盤に揺動自在に取り付けられ
記録媒体を記録ヘッドに押圧する
パッド
　「このカセットホルダに前記ディスク押圧部材をカセットホルダの駆動姿勢で該ディスク押圧部材が記録媒体と接触し」（同公報第３欄５〜７行）とあるを、
　特許請求の範囲の減縮を目的として、「このカセットホルダに前記ディスク押圧
パッド
パッド
　また、「カセットホルダ、ディスク押圧部材を順次この順に」（同公報第３欄８〜９行）とあるを、
　特許請求の範囲の減縮を目的として、「カセットホルダ、ディスク押圧
パッド
２．請求の範囲第２項（請求項２）において、「上面天板部に前記ディスク押圧部材を当接支持した」（同公報第３欄１５〜１６行）とあるを、
　特許請求の範囲の減縮を目的として、「上面天板部に前記ディスク押圧
パッド
３．特許明細書の段落【００１５】において、「このカセットホルダにディスク押圧部材をカセットホルダの」（同公報第５欄２７〜２８行）とあるを、
　明りょうでない記載の釈明を目的として、「このカセットホルダに
記録媒体を記録ヘッドに押圧する
パッド
　また「ディスク押圧部材によるヘッドヘの押圧の各動作が」（同公報第５欄３３〜３４行）とあるを、
　明りょうでない記載の釈明を目的として、「ディスク押圧
パッド
４．特許明細書の段落【００２２】において、「記録ッド（図示の磁気ヘッド６）と、ディスク押圧部材」（同公報第６欄２３〜２４行）とあるを、
　誤記の訂正と明りょうでない記載の釈明を目的として、「記録
ヘ
記録ディスクをヘッドに押圧する
パッド
５．特許明細書の段落【００７０】において、「ディスク押圧部材」（同公報第１１欄４５〜４６行）とあるを、
　明りょうでない記載の釈明を目的として、「ディスク押圧
パッド
６．特許明細書の段落【００７１】において、「ディスク押圧手段」（同公報第１２欄１行）とあるを、
　明りょうでない記載の釈明を目的として、「ディスク押圧
パッド
（５４）【発明の名称】
記録ディスクドライブ装置
（５７）【特許請求の範囲】
　【請求項１】ケーシング内に記録媒体を回転自在に内蔵した記録カセットを収容し、この記録媒体を回転駆動して記録ヘッドで記録再生する記録ディスクドライブ装置において、
（イ）上記記録媒体を回転せしめる駆動部材と上記記録ヘッドとを装備した装置基盤と、
（ロ）上記記録ヘッドと対向した位置で記録媒体に接触および離反可能
に
記録媒体を記録ヘッドに押圧する
パッド
（ハ）上記記録カセットを着脱収容可能なカセット収容部とこの収容部の両側部に設けた左右一対のカム係合部を有し、上記記録媒体が記録ヘッドに係合する駆動姿勢と該記録ヘッドから退避した着脱姿勢との間で上記記録カセットの挿入方向と直交する方向に昇降自在に支持されたカセットホルダと、
（ニ）上記装置基盤に駆動位置と着脱位置との間で往復動自在に取り付けられ、上記カム係合部と係合して上記カセットホルダを駆動姿勢から着脱姿勢に移動せしめると共に着脱姿勢に保持する左右一対のカムを備えたホルダ昇降部材と、
（ホ）上記ホルダ昇降部材を常時駆動位置側に付勢するチャージスプリングと、
（へ）上記チャージスプリングに抗してホルダ昇降部材を駆動位置から着脱位置に移動せしめ、このチャージスプリングに蓄力すると共に上記カセットホルダを駆動姿勢から着脱姿勢にシフトするイジェクト操作部材と、
（ト）上記ホルダ昇降部材を着脱位置で上記チャージスプリングの蓄力に抗して係止ロックし、この係止ロックをカセットホルダヘの記録カセットの挿入に連動して解除する係止ロック部材
とを備え、前記装置基盤に摺動自在に取り付けた板状材の両側部に前記左右一対のカムを折曲状に形成して前記ホルダ昇降部材を構成し、このホルダ昇降部材の上記カム上に前記カセットホルダのカム係合部を係合支持し、このカセットホルダに前記ディスク押圧
パッド
パッド
パッド
　【請求項２】前記カセットホルダのカセット収容部を板状材の両側部下面側に断面コ字状のカセットガイドを設けて構成すると共に、このカセット収容部が前記装置基盤と対面するようにこのカセットホルダを前記装置基盤上のホルダ昇降部材に支持し、このカセットホルダの上面天板部に前記ディスク押圧
パッド
　【請求項３】前記カセットホルダの天板部を金属その他の磁性材で構成した特許請求の範囲第２項記載の記録ディスクドライブ装置。
【発明の詳細な説明】
　　　【０００１】
　　【産業上の利用分野】
　本発明は、フロッピーディスクなどの記録媒体をケーシング内に回転自在に収納した記録カセットを装置内に着脱装填し、この記録媒体に各種のデータを磁気的に記録或いは再生するディスクドライブ装置に関する。
　　　【０００２】
　　【従来技術の説明】
　一般にこの種のドライブ装置は、フロッピーディスクを駆動モータに連結されたスピンドルに結合し、回転するフロッピーディスク上の記録トラックを磁気ヘッド（トランスデューサ）で走査して磁気的に記録或いは再生している。
　　　【０００３】
　従来かかる装置は例えば特開昭５６−１１１１７３号公報に示されているように、記録カセットを挿脱収容するカセットホルダを装置フレームに昇降自在に案内し、このホルダを摺動自在の上下傾斜したカム面で支持し、このカム面の上昇位置でカセットホルダ内に記録カセットを装着或いは離脱し、下降位置でカセットホルダ内の記録カセットが駆動スピンドルと係合するものが知られている。
　　　【０００４】
　そして、カセットホルダを昇降規制する傾斜カム面を備えたホルダ昇降部材（同公報のすべり板）はホルダの左右に一対設けられ、それぞれが独立して装置フレームの側壁に摺動自在に支持され、この左右独立したホルダ昇降部材をカセットホルダ入口部の開閉扉に連動させている。
　　　【０００５】
　つまり扉を開口した状態でこれに連動した左右のホルダ昇降部材でホルダを上昇した着脱位置に、また扉を閉鎖した状態でホルダが下降した駆動位置に移動させるよう扉の開閉動作とホルダを支持する左右のホルダ昇降部材とをそれぞれ連動させている。
　　　【０００６】
　更に特開昭５６−１３５６２号公報にも同様の装置が提案されている。
　　　【０００７】
　同公報の装置は前述のホルダ昇降部材（同公報の案内板）が装置フレームに固定され、一方で記録カセットを収納するホルダが開閉扉に連動してホルダ昇降部材の傾斜した案内溝に沿って開扉時に上昇した着脱位置に、閉扉時に下降した駆動位置に移動するようになっている。
　　　【０００８】
　　【発明が解決しようとする課題】
　上述の従来装置のようにカセットホルダ入口部に設けた開閉扉に連動してホルダが着脱位置と駆動位置との間で昇降するものにあっては、扉を開いた後記録カセットを挿入し扉を閉じて駆動状態にセットしている為、記録カセットの装着から駆動状態へのセット操作が面倒である欠点がある。
　これと同時に扉の開閉動作に連動してカセットホルダを着脱位置から駆動位置にシフトしている為に、操作者がカセットホルダ内に記録カセットを正しく装填し、注意を払って扉を閉鎖しなければならない。
　　　【０００９】
　つまり記録カセットが不充分な姿勢、例えばカセットの装着が不完全な状態で扉を閉じた場合には記録媒体と駆動スピンドル或いは記録ヘッドが不測な位置で衝合して故障を招いたり、またカセットが正しい姿勢であっても勢い良く扉を閉じた場合には記録媒体と駆動スピンドル、記録ヘッドとが衝撃的に衝合して記録媒体が損傷する恐れがある。
　　　【００１０】
　更に左右一対のホルダ昇降部材（前述のすべり板）を摺動させることによってホルダを上下昇降する場合には、左右のホルダ昇降部材のカム面が同時にホルダに作用しなければこの左右のバランスが崩れ、円滑な昇降動作が得られない。そこでこの左右のホルダ昇降部材それぞれの支持機構および開閉扉との連動部分の結合機構など装置が複雑かつ大型化する欠点がある。
　　　【００１１】
　　【発明の目的】
　本発明は記録カセットの装置への装着を容易に行うことが出来ると共に、記録媒体を駆動位置に確実にセットすることが可能な記録ディスクドライブ装置の提供をその主な目的としている。
　　　【００１２】
　更に本発明は、記録カセットを装着したカセットホルダの駆動姿勢と着脱姿勢との間の昇降動作を簡単な構造で円滑に行うことが可能であると共に、記録カセットのカセットホルダヘの挿入、駆動位置へのセットの各動作を簡単な構造でおこなうことができ、装置の小型化、薄型化が可能であるドライブ装置の提供をその目的としている。
　　　【００１３】
　　【課題を解決するための手段】
　本発明は、着脱姿勢と駆動姿勢との間で昇降自在に支持したカセットホルダをホルダ昇降部材で着脱姿勢に保持し、このホルダ昇降部材をカセットホルダヘの記録カセットの挿入動作に連動して移動せしめ、このホルダ昇降部材の移動によってカセットホルダを着脱姿勢から駆動姿勢にシフトし、このカセットホルダの駆動姿勢で内部に収容した記録媒体にドライブ装置側の記録ヘッドと駆動部材とを係合するようにしたものであり、これによって記録カセットの装置への装着が容易迅速に行えると共に記録カセットを駆動状態に確実にセットすることができ
る。
　　　【００１４】
　その為の構成は、駆動位置と着脱位置との間で往復動自在のホルダ昇降部材にカセットホルダを駆動姿勢から着脱姿勢に移動せしめると共に着脱姿勢に保持する左右一対のカムを形成し、このホルダ昇降部材をチャージスプリングに抗して着脱位置に係止ロックすることによってカセットホルダを着脱姿勢に保持し、この係止ロックをカセットホルダヘの記録カセットの挿入に連動して解除することによってカセットホルダを着脱姿勢から駆動姿勢に移行し、イジェクト操作でこのホルダ昇降部材を駆動位置から着脱位置に移動せしめる際に上記チャージスプリングに蓄力し、係止ロックの解除後はこの蓄力でホルダ昇降部材が着脱位置から駆動位置に移動する構成であって簡単な構造で円滑な運動が得られる。
　　　【００１５】
　更に、装置基盤と、この装置基盤に摺動自在に取り付けた板状材の両側部に左右一対のカムを折曲状に形成したホルダ昇降部材と、このホルダ昇降部材のカム上に支持したカセットホルダと、このカセットホルダに
記録媒体を記録ヘッドに押圧する
パッド
パッド
　　　【００１６】
　　【実施例】
　以下図示の一実施例に従ってその構成を詳述する。
　　　【００１７】
　まず本発明のドライブ装置で駆動する記録媒体について説明すると、図１０乃至図１２に示す記録カセットＡは、ポリエステルフィルムをベースとするフロッピーディスクなどの記録媒体（図示の記録ディスク１１）と、この記録ディスク１１を収容するプラスチックで形成されたケーシング１２と、このケーシング１２に形成されたヘッド走査孔１５と、このヘッド走査孔１５を開閉するシャッター板１２２とから構成されている。記録ディスク１１にはその中心部にハブ１３が設けられ、このハブ１３の周辺にインデックスホール１２１が設けられている。
　　　【００１８】
　ハブ１３には図１１のように中心孔１３ａと、環状溝１３ｂと、衝壁１３ｃとが設けられている。
　　　【００１９】
　ケーシング１２には、ハブ１３に対向する中心穴１４と、ヘッド走査孔１５と、後述のカセットホルダ３への挿入方向先端に形成された左右の位置決め孔１６と、インデックスホール１２１と同一円周上に位置するインデック窓１７と、サイド表示孔１８と、ライトプロテクト孔１９と、左右両側のガイド溝１２４とが設けられている。
　　　【００２０】
　シャッター板１２２は非使用時にヘッド走査孔１５を閉じておくもので、ガイド溝１２４に設けられた連動片１２３に連結され、付勢スプリング１２５により常時閉鎖方向（図１１の状態）に付勢されている。
　　　【００２１】
　従ってシャッター板１２２は付勢スプリング１２５に抗して開閉操作片１２３を図１１の状態から図１２の状態に移動せしめればヘッド操作孔１５が開口され、ケーシング１２内の記録ディスク１１に外部からアクセスできることとなる。
　　　【００２２】
　一方、記録ディスクドライブ装置Ｂは、図１乃至図４のように装置のフレームで構成された装置基盤２と、上記記録カセットＡを着脱収容するカセットホルダ３と、このカセットホルダ３を昇降するスライドカムからなる後述するホルダ昇降部材４と、ハブ押さえ５と、記録
ヘ
記録ディスクをヘッドに押圧する
パッド
　　　【００２３】
　上記装置基盤２とカセットホルダ３とで、記録カセットＡを収容するカセット収容空間を構成している。
　　　【００２４】
　装置基盤２には、カセット収容空間の入口を開閉する開閉扉２１と、駆動部材（図示のスピンドル２４）と、記録ディスク１１のインデックスホール１２１を検出するインデックスセンサの受光部２７と、カセット位置決め部材（図示の位置決めピン２８）と、ホルダ昇降部材４を係止する係止ロック部材（図示のロックレバー４５）とが設けられている。
　　　【００２５】
　開閉扉２１は軸２２で開閉自在に軸承され、コイルバネ２３により閉じる方向に付勢されている。
　　　【００２６】
　スピンドル２４は図１のように中心部に設けられた突起２４ａと、この突起２４ａの周縁に設けられたフランジ２４ｂと、フランジ２４ｂに埋設された伝動ピン２４ｃとを備え、図４のようにベアリング２５を介して支持され、一端が装置基盤２の裏側でプーリ２６を介して図３の駆動モータＭに連結されている。
　　　【００２７】
　突起２４ａは記録カセットＡのハブ１３に形成された中心孔１３ａに嵌合し、フランジ２４ｂはハブ１３を支持する。伝動ピン２４ｃはハブ１３の環状溝１３ｂに係合して、環状溝１３ｂ内の衝壁１３ｃに突き当たって、ハブ１３を回転するようになっている。
　　　【００２８】
　インデックスセンサの受光部２７は、合成樹脂製のホルダ２７ａ内にホトダイオード等の受光素子を埋設して構成されている。
　　　【００２９】
　位置決めピン２８は記録カセットＡの位置決め孔１６に嵌合する位置に装置基盤２から突設されている。
　　　【００３０】
　尚、位置決めピン２８と、スピンドル２４のフランジ２４ｂと、インデックスセンサのホルダ２７ａとは、記録カセットＡをそれぞれ当接支持する高さに調節されている。
　　　【００３１】
　ロックレバー４５は装置基盤２に配置されその一端には先端爪４５ａがホルダ昇降部材４の係合突起４６を図１の状態に係止するように設けられている。ロックレバー４５の他端４５ｂはカセットホルダ３内に挿入した記録カセットＡの先端に係合してロックレバー４５が図１の時計方向に回動し、先端爪４５ａがホルダ昇降部材４の係止を解除するようになっている。
　　　【００３２】
　尚、このロックレバー４５は戻しバネ４７により図１の反時計方向に付勢されている。
　　　【００３３】
　カセットホルダ３は図２のように天板部（図示の天板３１）と、この天板３１の左右両側に取り付けられたカセットガイド３２から成るカセット収容部とを備えている。
　　　【００３４】
　天板３１は金属その他の磁性材で形成され、図４の状態に収容した記録カセットＡを外部磁気からシールドしている。
　　　【００３５】
　この天板３１には図２のように、カセット入口端に記録カセットＡの挿入時、この記録カセットＡをカセットガイド３２に導く入口ガイド片３１ａと、インデックスセンサの発光部３３と、記録カセットＡの表裏を検出するサイド検出センサの発光部３４と、ライトプロテクトセンサの発光部３５とが取り付けられている。
　　　【００３６】
　上記カセットガイド３２は記録カセットＡの両側を嵌合するよう左右対向した断面コ字状をしており、天板３１の左右にビス３６で取り付けられている。
　　　【００３７】
　この左右のカセットガイド３２には左右一対のピン３７で形成されたカム係合部と、押さえバネ３９と、記録カセットＡの先端規制ストッパ（図示の突き当てストッパ片３１１）と、記録カセットＡのシャッター板１２２の連動片１２３に係合するシャッター開閉部材（図示の開閉爪３１２）とが設けられている。
　　　【００３８】
　このような構成のカセットホルダ３は、装置基盤２の左右側枠２９ａ、２９ｂにほぼ垂直に形成してある長溝２２１にピン３７を嵌合して、装置基盤２に対してほぼ垂直方向に昇降自在に支持されている。尚、カセットホルダ３は上下いずれかの方向、図示のものは下側の駆動姿勢側にバネ３８で付勢されている。このカセットホルダ３はホルダ昇降部材４で記録カセットＡの挿入方向と直交する上下方向に昇降自在に支持されている。
　　　【００３９】
　ホルダ昇降部材４は記録カセットＡの挿入方向にガイド溝４１を有し、装置基盤２から突設したピン４２に係合し、駆動位置（図７の状態）と着脱位置（図５の状態）との間で往復動自在に支持されている。
　　　【００４０】
　ホルダ昇降部材４には図３のように外部から操作可能なイジェクト操作部材（図示のイジェクト釦４３）が一体に設けてあり、このイジェクト釦４３の操作方向（図３の矢印押し込み方向）と反対方向（駆動位置側）にチャージスプリング４４で付勢されている。
　　　【００４１】
　またホルダ昇降部材４にはロックレバー４５の先端爪４５ａが係合する係合突起４６と、カセットホルダ３のピン３７に係合するカム面４８とが設けられている。
　　　【００４２】
　このカム面４８は、カセットホルダ３の前後左右の４本のピン３７を図７の駆動姿勢に支持する駆動位置カム面４８ａと、ピン３７を図５の着脱姿勢に支持する着脱位置カム面４８ｂと、この両カム面を連結する傾斜した傾斜カム面４８ｃとを備え、ホルダ昇降部材４の移動によって図５、６、７のようにカセットホルダ３を水平即ち前後方向に傾くことなく、上昇及び下降させるように構成してある。
　　　【００４３】
　つまりホルダ昇降部材４を駆動位置（図７）と着脱位置（図５）との間で往復動することによってカセットホルダ３を駆動姿勢と着脱姿勢とに水平状態で垂直に昇降するようになっている。そしてこのホルダ昇降部材４は駆動位置から着脱位置にはイジェクト釦４３の操作で移動し、着脱位置から駆動位置にはチャージスプリング４４の蓄力で移動する。
　　　【００４４】
　ハブ押さえ５は、図８のように側枠２９ａから延設された板バネ５１と、この板バネ５１の先端に軸５３を介して取り付けられたハブ１３に摺接する滑性樹脂製の押圧片５２とを備えてある。
　　　【００４５】
　尚、押圧片５２の支軸５３は、アジャスタバネ５４を介して押圧片５２を首振り状態に揺動自在に支持している。
　　　【００４６】
　そしてハブ押さえ５は図９のようにカセットホルダ３が上昇位置の着脱姿勢のときには、カセットホルダ３の天板３１で押し上げられ、また図８のようにカセットホルダ３が下降位置の駆動姿勢のときには、板バネ５１の弾性で押圧片５２がハブ１３を押圧してスピンドル２４に確実に係合するようになっている。
　　　【００４７】
　磁気ヘッド６は記録ディスク１１の回転中心方向に摺動自在に支持されたキャリッジ６１に取り付けられている。キャリッジ６１はパルスモータ６２のプーリ６３とこれに巻かれたスチールベルト６４で駆動制御される。
　　　【００４８】
　つまりスチールベルト６４の一端はキャリッジ６１にビス止めされ、その中央部はプーリ６３に巻かれて固定され、他端はキャリッジ６１にアジャスタバネ６５を介して固定されている。
　　　【００４９】
　従って、プーリ６３が図４の時計方向に回転すれば、キャリッジ６１は記録ディスク１１の中心方向に移動し、反時計方向に回転すれば外側に移動し、記録ディスク１１上のトラックを検知してパルスモータ６２を回転制御すれば磁気ヘッド６は記録ディスク１１のトラックを追跡する。
　　　【００５０】
　そして、磁気ヘッド６に対向してヘッド押さえパッド６６がヘッド押さえレバー６７に支持されて設けられている。ヘッド押さえレバー６７はキャリッジ６１に図４の矢印方向に揺動自在に軸承してあると共に、図示してないが磁気ヘッド６に圧接する方向にスプリングで付勢してある。
　　　【００５１】
　また、ヘッド押さえレバー６７には突起６８が設けられ、カセットホルダ３が上昇位置の着脱姿勢のときにはカセットホルダ３の天板３１の図３に示す３１ｂ部位で突起６８が押し上げられて磁気ヘッド６から離れ、カセットホルダ３が降下した駆動姿勢のときは天板３１の図示３１ｂ部位から解除されて、磁気ヘッド６側に移動し図４のように記録ディスク１１を磁気ヘッド６に圧接するようになっている。
　　　【００５２】
　以下図５乃至図７の動作状態図に従って図示実施例の動作を説明する。
　　　【００５３】
　図５のようにイジェクト釦４３が押し込まれた状態では、このインジェクト釦４３と一体のホルダ昇降部材４はカム面４８ｂがカセットホルダ３を上昇させた着脱位置にピン３７を長溝２２１に沿って押し上げて支持している。この状態でチャージスプリング４４には蓄力され係止突起４６がロックレバー４５の先端爪４５ａにロックされホルダ昇降部材４はこの着脱位置に保持されている。
　　　【００５４】
　この着脱姿勢で記録カセットＡをカセットホルダ３に挿入すると、記録カセットＡは開閉扉２１と入口ガイド片３１ａとにガイドされてカセットガイド３２内に侵入する。
　　　【００５５】
　この時、カセットガイド３２の開閉爪３１２がシャッター板１２２の連動片１２３に係合し、記録カセットＡの挿入に伴ってシャッター板１２２を図１１の状態から図１２の状態に回動してヘッド走査孔１５が開口し、記録ディスク１１が外部から走査可能になる。（シャッター開口動作）
　これと同時に、インデックス窓１７も開口し、記録ディスク１１の初期位置を示すインデックスホール１２１が外部から検知可能となる。
　　　【００５６】
　また、図５のようにイジェクト釦４３が押し込まれた状態では、ハブ押さえ５とヘッド押さえレバー６７はカセットホルダ３の天板３１に当接して押し上げられ、ハブ押さえ５は記録カセットＡの嵌合部から退避し、ヘッド押さえパッド６６は磁気ヘッド６から離れる。従って、記録カセットＡの挿入時、ハブ押さえ５の押圧片５２及びヘッド押さえパッド６６に衝突することがない。
　　　【００５７】
　次いで図６に示すように記録カセットＡが所定位置まで挿入されると、その先端がロックレバー４５の端部４５ｂに突き当たって、このロックレバー４５を図１において時計方向に回動させる。
　　　【００５８】
　するとロックレバー４５の先端爪４５ａがホルダ昇降部材４の係合突起４６から離脱し、ホルダ昇降部材４はチャージスプリング４４の蓄力で図６の矢印方向に移動する。このホルダ昇降部材４の移動により、カセットホルダ３のピン３７がカム面４８ｃに沿って長溝２２１内をバネ３８で降下し、図７のようにピン３７がカム面４８ａに支持される。（カセットホルダ降下動作）
　この時、カセットホルダ３は装置基盤２上のスピンドル２４と位置決めピン２８に対し真上から垂直に降下し、ハブ１３の中心孔１３ａがスピンドル２４の突起２４ａに、記録カセットＡの位置決め孔１６が位置決めピン２８に正常な姿勢で確実に嵌合位置決めされる。（カセット位置決め動作）
　カセットホルダ３の降下に伴ってハブ押さえ５の押圧片５２がハブ１３を圧接し、ヘッド押さえレバー６７のヘッド押さえパッド６６が記録ディスク１１を介して磁気ヘッド６を圧接する。（記録媒体のヘッド押圧動作）
　そして磁気ヘッド６による記録、再生が行われる。
　　　【００５９】
　記録カセットＡをドライブ装置Ｂから取り出す場合にはイジェクト釦４３を図７の状態から図５の状態に押し込むと、ホルダ昇降部材４のカム面４８ｃに沿ってカセットホルダ３のピン３７が押し上げられ、カセットホルダ３が垂直に上昇し、チャージスプリング４４に蓄力されると共にホルダ昇降部材４の係合突起４６がロックレバー４５の先端爪４５ａに係止ロックされる。
　　　【００６０】
　このカセットホルダ３の上昇で、記録カセットＡはスピンドル２４、位置決めピン２８から離脱する。
　　　【００６１】
　このとき、カセットホルダ３の天板３１がハブ押さえ５と係合して図９のように、ハブ押さえ５の押圧片５２が記録カセットＡの嵌合部から退避する。
　　　【００６２】
　また、カセットホルダ３の上昇初期では記録カセットＡは押さえバネ３９に弾圧されてその位置を維持するが、カセットホルダ３が完全に上昇すると、その弾圧力が弱められ、記録カセットＡは付勢スプリング１２５の蓄力で開閉扉２１から外部に飛び出す。その際、シャッター板１２２は図１１の状態にヘッド走査孔１５を閉鎖する。
　　　【００６３】
　図示の実施例によれば、記録カセットＡはカセットガイド３２の所定位置まで挿入されると、ロックレバー４５の先端爪４５ａがホルダ昇降部材４の係合突起４６から離脱し、ホルダ昇降部材４はチャージスプリング４４で図６から図７の状態に移動し、カム面４８ｂに支持されていたカセットホルダ３の４本のピン３７がカム面４８ｃに沿って長溝２２１内をバネ３８の蓄力で降下し、開閉扉２１の開閉操作を行わなくても、記録カセットＡの装着動作を行うだけで、記録ディスク１１を駆動状態にセットでき、記録カセットＡの装着操作が容易である。
　　　【００６４】
　また、４本のピン３７が垂直に設けられた長溝２２１内を降下するため、カセットホルダ３は水平の姿勢を保ったままスピンドル２４と位置決めピン２８に対し真上から垂直に降下し、ハブ１３の中心孔１３ａがスピンドル２４の突起２４ａに、記録カセットＡの位置決め孔１６が位置決めピン２８に正常な姿勢で確実に嵌合し位置決めすることができる。
　　　【００６５】
　一方、イジェクト釦４３を押し込むと、ホルダ昇降部材４のカム面４８ｃに沿ってカセットホルダ３が垂直に上昇するため、記録カセットＡをスピンドル２４と位置決めピン２８から確実に離脱することができる。
　　　【００６６】
　このように記録カセットＡが水平な状態で、パブ１３の中心孔１３ａ及び位置決め孔１６を、スピンドル２４の突起２４ａ及び位置決めピン２８に係合できるので、長期間使用しても両者の損傷が少ない。
　　　【００６７】
　　【発明の効果】
（１）記録カセットの装着動作を容易且つ確実に行うことができる。
　　　【００６８】
　本発明は、カセットホルダを着脱姿勢から駆動姿勢に移動する際、チャージされた状態で着脱位置に係止ロックしたホルダ昇降部材をカセットホルダに挿入した記録カセットで解除し、解除後はホルダ昇降部材がチャージスプリングの蓄力で移動してカセットホルダを駆動姿勢にシフトするから、記録カセットをカセットホルダに装着する動作で駆動位置にセットでき記録カセットの装着を容易且つ確実に行うことができる。
（２）カセットホルダの昇降動作が円滑かつ確実である。
　　　【００６９】
　カセットホルダはこれを昇降する左右一対のカムで支持されているから、昇降の動作は左右バランスよく円滑であると共に、この左右のカムは板状材の両側部を折曲状に形成してあるから、左右のカムは一体に構成されガタつきその他で狂うことがなく構造が簡単で円滑な運動が得られる。
（３）装置の薄型化および小型化が可能である。
　　　【００７０】
　本発明の装置は装置基盤と、この基盤上に配置した板状材のホルダ昇降部材と、このホルダ昇降部材上のカセットホルダと、このカセットホルダ上のディスク押圧
パッド
　　　【００７１】
　特に、ホルダ昇降部材は板状材で構成してあるから装置基盤上に重ね合わせて配置することが可能で装置を薄型化でき、しかもカセットホルダの昇降で同時にディスク押圧
パッド
【図面の簡単な説明】
　【図１】
　本発明の一実施例におけるドライブ装置のカセットホルダを除く分解斜視図である。
　【図２】
　ドライブ装置を構成するカセットホルダの斜視図である。
　【図３】
　ドライブ装置の要部平面図である。
　【図４】
　ドライブ装置の駆動状態における断面図である。
　【図５】
　着脱姿勢のカセットホルダに記録カセットを装着する状態説明図である。
　【図６】
　着脱姿勢のカセットホルダに記録カセットを所定位置に装着した状態説明図である。
　【図７】
　駆動姿勢のカセットホルダの状態説明図である。
　【図８】
　ドライブ装置の要部動作説明図である。
　【図９】
　ドライブ装置の要部動作説明図である。
　【図１０】
　記録カセットの斜視外観図である。
　【図１１】
　カセット内部の構造およびシャッター板の開閉動作の説明図である。
　【図１２】
　カセット内部の構造およびシャッター板の開閉動作の説明図である。
　【符号の説明】
　　Ａ………　記録カセット
　　Ｂ………　記録ディスクドライブ装置
　　Ｍ………　駆動モータ
　　２………　装置基盤
　　３………　カセットホルダ
　　４………　スライドカム（ホルダ昇降部材）
　　６………　磁気ヘッド（記録ヘッド）
　１１………　記録ディスク（記録媒体）
　１２………　記録カセットのケーシング
　１５………　記録カセットのヘッド走査孔
　１６………　記録カセットの位置決め孔
１２２………　記録カセットのシャッター板
　２４………　スピンドル（駆動部材）
　２８………　位置決めピン（カセット位置決め部材）
　３１………　天板（天板部）
　３２………　カセットガイド（カセット収容部）
　３７………　ピン（カム係合部）
　４３………　イジェクト釦（イジェクト操作部材）
　４４………　チャージスプリング
　４５………　ロックレバー（係止ロック部材）
　４８………　カム面
　６６………　ヘッド押さえパッド（ディスク押圧
パッド
３１１………　突き当てストッパ片（先端規制ストッパ）
３１２………　開閉爪（シャッター開閉部材）